(57)【要約】【課題】  遊技施設内において適正に遊技を行って獲得した遊技媒体ではない遊技媒体が計数設備において計数され不当に景品に交換されることを防止する遊技者等判定システムを得ること。【解決手段】  各遊技台１２に設置され、当該遊技台の遊技者の第１の顔認識データを取得するカメラ３０及びデータ処理部４４と、遊技者の獲得した遊技媒体を計数する遊技媒体計数設備１６に設置され、遊技媒体計数に際して当該遊技媒体を持参した者の第２の顔認識データを取得するカメラ４２及びデータ処理部４４と、第１の顔認識データを各遊技台の特定情報と共に格納する第１データ格納部（記憶部４６）と、第２の顔認識データを第１の顔認識データと照合してその第１の顔認識データの中の一人の顔であるか否かの判定を行う照合判定部４８と、顔判定部の判定結果を遊技媒体計数設備１６の管理者に伝達、表示する伝達表示手段１７と、を備えている。【選択図】  図２
2006034433.tif 000002
【特許請求の範囲】
【請求項１】
複数配列された遊技台と、遊技媒体を計数する遊技媒体計数設備を施設内に有する遊技施設における遊技者等判定システムにおいて、
遊技者の顔を前記各遊技台毎に認識して第１の顔認識データを取得する第１の顔認識手段と、
前記第１の顔認識データを各遊技台の特定情報と共に格納する第１データ格納部と、
前記遊技媒体計数設備における遊技媒体計数に際して当該遊技媒体を持参した者の顔を認識して第２の顔認識データを取得する第２の顔認識手段と、
前記第２の顔認識データを前記第１データ格納部に格納された第１の顔認識データと照合してその第１の顔認識データの中の一人の顔であるか否かの判定を行う照合判定部と、
該照合判定部の判定結果を管理者に伝達するための判定結果伝達手段と、
を備えることを特徴とする遊技者等判定システム。
【請求項２】
前記第１の顔認識手段は、
当該遊技台の遊技者が存在するか否かを検知する存在検知部を有し、前記遊技者が不存在状態から存在状態に変化する毎に新たに前記第１の顔認識データを取得することを特徴とする請求項１に記載の遊技者等判定システム。
【請求項３】
前記遊技媒体計数設備は、
遊技媒体を計数する計数部と、計数結果情報を表示した計数表示媒体を発行する計数表示媒体発行部と、を有し、
当該遊技媒体計数設備の内部又は外部に設けられる制御部によって、前記第２の顔認識手段が当該遊技媒体の持参者の顔認識データを取得したことを条件として、前記計数部又は前記計数表示媒体発行部の作動が行われる様に制御することを特徴とする請求項１又は２の何れかに記載の遊技者等判定システム。
【請求項４】
前記照合判定部での判定において、判定対象の第２の顔認識データが前記第１データ格納部に格納された第１の顔認識データの中に存在しないと判定された場合には、前記遊技媒体計数設備の制御部は、前記管理者からの指示があるまで少なくとも前記計数表示媒体発行部による計数表示媒体の発行を行わない様に制御することを特徴とする請求項１又は３の何れかに記載の遊技者等判定システム。
【請求項５】
前記照合判定部での判定において、判定対象の第２の顔認識データが前記第１データ格納部に格納された第１の顔認識データの中に存在しないと判定された場合には、前記計数表示媒体発行部から発行される計数表示媒体にはその旨の表示を行うことを特徴とする請求項１又は３の何れかに記載の遊技者等判定システム。
【請求項６】
前記照合判定部での判定において、判定対象の第２の顔認識データが前記第１データ格納部に格納された第１の顔認識データの中に存在していると判定された場合においても、遊技施設全体を統括して管理、制御するホールコンピュータからの中止信号を受信した場合には、前記遊技媒体計数設備の制御部は、前記計数部又は計数表示媒体発行部の作動を行わないことを特徴とする請求項１又は５の何れかに記載の遊技者等判定システム。
【発明の詳細な説明】
【技術分野】
【０００１】
本発明は、遊技者等判定システム、特にパチンコやスロットマシンなどの店舗における遊技者等につて顔の認識を行うことによって判定する遊技者等判定システムに関する。
【背景技術】
【０００２】
図５は、一般的なパチンコやスロットマシンなどの遊技施設であるホールを示している。このホール１０には、複数の遊技台１２が並設されたいわゆる島１４が設けられており、遊技者は、ホール１０（パチンコ店など）に入り、まず、遊技媒体であるパチンコ玉やメダル等を借り出す。この借り出しは、ホール１０の所定の箇所に設けられた貸出機１４や各遊技台１２の並設された貸出部から行うことができる。この借り出しは現金を使って行ったり、いわゆるプリペイドカードを利用した借り出しが可能となっている。
【０００３】
遊技者は、借りた遊技媒体を遊技機に投入することによって、その遊技台を使用可能であり、遊技媒体の獲得を目指した遊技を行うことができる。また、遊技中に獲得した遊技媒体は、通常、ホール１０内に設けられた遊技媒体の計数設備１６にて計数される。
【０００４】
すなわち、遊技者は、獲得した遊技媒体を計数設備１６まで持参し、その獲得した遊技媒体を計数してもらい、計数結果の情報の記された計数表示媒体である計数シート等を受け取る。一般的に計数設備１６には、媒体受け入れ口１６ａから投入された遊技媒体を自動的に計数する自動計数部１８を有し、更に、この計数結果を出力する計数結果出力部を有している。この計数結果出力部は、通常、計数結果についての情報等を表示した計数シート２０を発行するシート発行部２２などとして構成される。なお、計数シート２０は紙で構成するものだけではなく、磁気カード等によって構成されるものも含まれる。
【０００５】
この様な遊技媒体計数設備１６において、計数シート２０を受け取った遊技者は、同じくホール１０内に設置されている景品交換設備２４にて、その計数シート２０を渡すことにより、計数値に表示された獲得遊技媒体の数量の範囲内で所望の景品を獲得することができる。この景品交換設備２４には、景品受け取りカウンター２６や実際に景品を陳列した景品陳列部２８が設けられている。
【０００６】
以上の様なホールシステムを有する状況において、ホールを利用する遊技者等についての認識管理は、ホール内の所定箇所に設置されたビデオカメラなどにより所定領域毎に行われ、遊技者が安全に且つ楽しく遊技できるように管理されている。また、管理を目的として、一定の個人情報を開示してもらいメンバー登録を行う登録システムを採用し、各メンバーの個人情報と共に顔情報等を蓄積しておくことなども行われる。
【０００７】
更に、ホール入場者の顔を認識してこれをホール内の管理に利用する技術としては、例えば、特許文献１の技術が存する。この技術は、パチンコ店舗における不正の監視システムであり、店舗の駐車場に入場した車両（ナンバープレート）や搭乗者を撮影する手段を有し、この撮影手段によって得た駐車場入場者情報と店舗内で入店者等を撮影した情報とを照合するものである。また、遊技台で遊技を行う人物を撮影する遊技客撮影手段の設置についても開示されている。これらの構成により、不正行為に対する防御策や不正行為発見後の対応がより的確なものとなり、また、駐車場に入場したが店舗には入店しない者をチェックすることなどにより不正行為の予防策にも活用することができるものである。
【０００８】
次に、特許文献２に開示された技術では、遊技台で遊技する顧客の個人情報を取得する手段を有し、遊技客が交替したことを判断した時には、新たな個人情報が記憶済みの情報か否かを判定することにより、店内の遊技客の数を管理するようにしたものである。この技術においても、遊技台毎の個人情報の取得は、台毎に設置したカメラにより行うことが開示されている。
【０００９】
【特許文献１】特開２００３−２１６７７５
【特許文献２】特開２００３−３３５５１
【発明の開示】
【発明が解決しようとする課題】
【００１０】
図５に示したように、パチンコなどの遊技施設（ホール１０）においては、各施設内の貸出機１４や貸出部から遊技媒体（パチンコ玉など）を借り出さなければならない。各遊技施設では、貸し出す遊技媒体の貸出金額や獲得した遊技媒体の景品への変換率はそれぞれ異なっている。したがって、他店の遊技媒体を使用して遊技することは不正行為になる。例えば、他店舗で獲得した遊技媒体をより変換率の良い店舗へ持ち込んで計数してもらい、景品に交換するような行為は、施設営業者にとっては、看過しがたい不正行為となるのである。
【００１１】
また、ホール１０内で正当に遊技媒体を借り出して多数の遊技媒体を獲得しているときに、隙をみて他人がその獲得した遊技媒体を無断で計数して、景品に交換してしまうような行為が行われる恐れもある。
【００１２】
従来のホールシステムでは、上述のような他店舗の遊技媒体が計数設備に持参され、計数されてしまった場合には、これを看破することができず、また、その様な不正な遊技媒体の計数による景品交換を回避することはできなかった。この様なホール１０内の遊技台１２での遊技状況をビデオカメラ等で監視している場合でもそれだけでは外から持ち込んだ遊技媒体の計数を防止することは困難であった。全ての遊技者がメンバー登録を行っている状況であれば、不正が行われたときにメンバー情報との照合を行うこと等によって状況把握を行うことができるが、多くの未登録遊技者が遊技を行っている現状では困難である。
【００１３】
また、施設内の監視用カメラだけでは、他人の獲得した遊技媒体を無断で計数設備に持ち運んで計数するような行為を見極めることが困難であり、それを計数設備において未然に阻止することはできない。更に、一旦計数されて計数シート２０が発行されてしまうと、その計数結果に基づいて景品に交換することを阻止することもできなかった。
【００１４】
特許文献１の技術においては、店舗の駐車場に入場した車両や搭乗者についての撮影情報や遊技台で遊技を行っている人物の撮影情報を下に、不正行為の未然防止対策を講じたり、不正行為発見後の対応をより的確に行うことは可能であるが、他店の遊技媒体を計数すると言う行為を確実に検知することは困難であった。すなわち、ある入場者を継続的に追跡して監視し続けることを行わなければ他店の遊技媒体を計数設備まで持参してもこれを看破すべき情報は得られなかった。
【００１５】
また、各遊技台１２において遊技者の顔などの個人情報を得たとしてもその者が他人の獲得した遊技媒体を無断で計数設備に持参したか否かというチェックは、やはり継続的な追跡監視を行わなければ確実にこれを行うことはできなかった。
【００１６】
次に、特許文献２に開示された技術では、遊技台で遊技する顧客の個人情報を基にして、店内の遊技客数を管理することは可能であるが、他店の遊技媒体を持参してこれを計数する行為については、看破することは困難である。また、他人の獲得した遊技媒体を無断で計数設備に運んで計数するという行為についても特許文献１の場合と同様にこれを阻止することは困難であった。
【００１７】
本発明は上記課題に鑑みてなれたものであり、その目的は、計数者が当該遊技施設内において適正に遊技を行って獲得した遊技媒体ではない遊技媒体が計数設備において計数され不当に景品に交換されることを防止するこのできる遊技者等判定システムを提供することにある。
【課題を解決するための手段】
【００１８】
上記課題を解決するため請求項１に係る遊技者等判定システムは、
複数配列された遊技台と、遊技媒体を計数する遊技媒体計数設備を施設内に有する遊技施設における遊技者等判定システムにおいて、遊技者の顔を前記各遊技台毎に認識して第１の顔認識データを取得する第１の顔認識手段と、前記第１の顔認識データを各遊技台の特定情報と共に格納する第１データ格納部と、前記遊技媒体計数設備における遊技媒体計数に際して当該遊技媒体を持参した者の顔を認識して第２の顔認識データを取得する第２の顔認識手段と、前記第２の顔認識データを前記第１データ格納部に格納された第１の顔認識データと照合してその第１の顔認識データの中の一人の顔であるか否かの判定を行う照合判定部と、該照合判定部の判定結果を管理者に伝達するための判定結果伝達手段と、を備えたことを特徴としている。
【００１９】
これにより、管理者、例えば遊技媒体計数設備の管理者は、遊技媒体を計数してもらうために遊技媒体計数設備まで遊技媒体を持参した者の顔認識データが、当該遊技施設内の遊技台にて遊技を行った者の顔認識データの中に存在しないことを判定結果表示手段によって認識することができる。したがって、少なくともその遊技媒体の持参者が自らが実際に施設内の遊技台で遊技をして獲得した遊技媒体を持参したのではないことを判断することができる。なお、上記判定結果の伝達される管理者は、遊技媒体計数設備の管理者に限られるものではなく、次段の景品交換設備の管理者に伝達するようにしてもよいし、全ての施設内管理者に伝達するようにしてもよい。
【００２０】
例えば、遊技媒体を持参した者の顔認識データが、当該遊技施設内の遊技台にて遊技を行った者の顔認識データの中に存在しない場合、まず、管理者はその時に遊技媒体計数設備に投入された遊技媒体が当該施設内で貸し出された種類の遊技媒体であるかを確認すれば、他の店舗の遊技媒体を持ち込んで計数したのか否かを確認することができる。他店舗で使用されている遊技媒体であればされれば、明確な不正行為であり、これに対応する措置を行って、その様な不的確な遊技媒体の計数に基づく景品交換を阻止することができる。
【００２１】
また、投入された遊技媒体が自店舗の適正な遊技媒体であった場合でも、少なくともそれが自分で獲得した遊技媒体でないことは認識されているので、その旨を伝え、更に理由を口頭で確認することなどにより、無断で他人の遊技媒体を持参して、景品交換を行うような不正行為を抑制することが可能となる。
【００２２】
なお、当該施設内で遊技を行った者であっても、実際にはその施設内で自分が適正に獲得した遊技媒体でないものを遊技媒体計数設備に持参する場合もあるが、その様な者のチェックに関しては、例えばホールコンピュータが管理する遊技台毎の出球情報（全ての遊技媒体を含む）との対比を行うようにすれば、簡単にその確認を行うことができる。すなわち、遊技媒体計数設備に遊技媒体を持参した者が実際に遊技した台は顔認識データの照合により特定できるので、その台の出球情報をチェックすることで上記確認を行うことができる。
【００２３】
また、ここで「顔認識データ」とは、例えば、デジタルカメラ等により取得した画像データから顔の特徴点を検出して位置データなどに変換して得られるデータであり、既に種々の技術が実用化されているものである。
【００２４】
上記課題を解決するため請求項２に係る遊技者等判定システムは、
前記第１の顔認識手段が、当該遊技台の遊技者が存在するか否かを検知する存在検知部を有し、前記遊技者が不存在状態から存在状態に変化する毎に新たに前記第１の顔認識データを取得することを特徴とする。これにより、遊技台で遊技を行った遊技者の顔認識データを漏れなく取得することができ、第２の顔認識データの第１の顔認識データとの照合による判定をより信頼性の高いものとすることができる。
【００２５】
上記課題を解決するため請求項３に係る遊技者等判定システムは、
前記遊技媒体計数設備が、遊技媒体を計数する計数部と、計数結果情報を表示した計数表示媒体を発行する計数表示媒体発行部と、を有し、当該遊技媒体計数設備の内部又は外部に設けられる制御部によって、前記第２の顔認識手段が当該遊技媒体の持参者の顔認識データを取得したことを条件として、前記計数部又は前記計数表示媒体発行部の作動が行われる様に制御することを特徴としている。
【００２６】
上記制御部の制御により、第２の顔認識手段が当該遊技媒体を遊技媒体計数設備に持参した者の顔認識データを取得するまでは、遊技媒体の計数又は計数表示媒体発行部の作動は行われないので、遊技媒体計数設備における第２の顔認識データの取得は確実なものとなる。すなわち、遊技媒体計数設備に遊技媒体を持参した者が実際に当該施設内の遊技台にて遊技した者か否かの判断のための情報は確実に取得されることになる。
【００２７】
上記課題を解決するため請求項４に係る遊技者等判定システムは、
前記照合判定部での判定において、判定対象の第２の顔認識データが前記第１データ格納部に格納された第１の顔認識データの中に存在しないと判定された場合には、前記遊技媒体計数設備の制御部は、前記管理者からの指示があるまで少なくとも前記計数表示媒体発行部による計数表示媒体の発行を行わない様に制御することを特徴とする。
【００２８】
これにより、遊技媒体計数設備に遊技媒体を持参した者が実際に当該施設内の遊技台にて遊技した者ではないと判定された場合に、そのまま、計数表示媒体が発行されてしまうことがなくなる。したがって、遊技媒体計数設備の管理者が例えば口頭確認等の何らかの確認を行い、或いは、上記判定結果を認識した上で、計数表示媒体の発行を許容する指示を行わない限り、不意に計数表示媒体が発行されてしまうことが防止される。
【００２９】
上記課題を解決するため請求項５に係る遊技者等判定システムは、
前記照合判定部での判定において、判定対象の第２の顔認識データが前記第１データ格納部に格納された第１の顔認識データの中に存在しないと判定された場合には、前記計数表示媒体発行部から発行される計数表示媒体にはその旨の表示を行うことを特徴とする。
【００３０】
これにより、不正行為の可能性のある遊技媒体持参者への対応策を講じることが遊技媒体計数設備の管理者の段階では困難な場合に、計数表示媒体にはその持参者が施設内で遊技した者ではない旨が表示されているので、次の景品交換設備などにおける対応が可能となる。なお、上記計数表示媒体への表示は、各設備管理者のみが認識可能な表示であっても、遊技媒体の持参者を含めて誰もが認識可能な表示であっても良い。
【００３１】
上記課題を解決するため請求項６に係る遊技者等判定システムは、
前記照合判定部での判定において、判定対象の第２の顔認識データが前記第１データ格納部に格納された第１の顔認識データの中に存在していると判定された場合においても、遊技施設全体を統括して管理、制御するホールコンピュータからの中止信号を受信した場合には、前記遊技媒体計数設備の制御部は、前記計数部又は計数表示媒体発行部の作動を行わないことを特徴とする。
【００３２】
これにより、施設内の遊技台で遊技した者であっても、他店舗の遊技媒体を持ち込んでいる等の情報がホールコンピュータにて認識されている様な場合に、遊技媒体計数設備の段階で、計数表示媒体が発行されてしまうことを防止することができる。この場合、第１の顔認識データは遊技台を特定する情報と共に格納されているので、その者が遊技媒体を技媒体計数設備に持参したときに第２の顔認識データを取得して判定することで、その者を特定することができるものである。
【００３３】
更に、ホールコンピュータでは、各遊技台毎の遊技媒体獲得数や遊技時間等の認識、管理が行われるが、この様な認識、管理の情報に基づいて、持参された遊技媒体が実際に当該遊技台で獲得した遊技媒体ではないとホールコンピュータが判断したような場合にも技媒体計数設備の段階で対応することができる。
【発明の効果】
【００３４】
本発明に係る遊技者等判定システムによれば、技媒体計数設備に遊技媒体を持参した者と施設内の遊技台で遊技を行った者との顔に関するデータに基づいて照合判定することができる。これにより、遊技者が当該施設内の遊技台で実際に且つ適正に遊技を行った者であるか否か、適正に取得したものから適正に譲り受けたものか、更には遊技媒体が施設内で獲得された適正な遊技媒体であるか否かなどを遊技媒体計数設備の段階で判定、確認することが容易なものとなる。したがって、他店舗の遊技媒体を不正に計数する行為や他人の獲得した遊技媒体を無断で計数しようとする行為を確実に防止することができる。
【発明を実施するための最良の形態】
【００３５】
以下、図面に基づいて、本発明に係る好適な実施の形態を詳細に説明する。図１は、本発明に係る遊技者等判定システムの全体構成を示す概念図であり、例えばパチンコやスロットマシンの施設を例に取っている。なお、図５に示した従来の構成と同様の構成には同一の符号を付し、その説明を省略する。
【００３６】
図示のように、各島１４に複数並設された遊技台１２には、それぞれその遊技台を使用している遊技者の顔を含む映像情報を取得するための手段として、カメラ３０が設置されている。カメラ３０の設置位置は、可能な限り遊技者を正面から捉えることのできる位置が好適であり、遊技台１２の中や枠部分の上部に目立たないように設置される。但し、カメラ３０の設置は必ずしも各台毎に行う必要はなく、各島の１４の上部の複数箇所に設置することも可能である。例えば、２台〜３台の遊技者を１つのカメラ３０で撮影するようにしても良い。
【００３７】
このカメラ３０の撮影動作は自動的に制御され、制御部は後述するホールコンピュータ４０によるか、或いは各遊技台１２毎に設けられた制御部によって制御される。また、各遊技台１２には、その遊技台１２の遊技者の存在、不存在を検知する遊技者存在検知手段１３が設けられている。例えば、赤外線などの光学的検知手段が設けられ、不存在状態と存在状態との間の変化を検知し信号を出力する。
【００３８】
本実施例では、カメラ３０にて取得された顔を含む映像情報は、ホールコンピュータ４０に送られる。図２は、ホールコンピュータ４０の主要構成を示しており、ホールコンピュータ４０はカメラ３０にて撮影した映像情報から第１の顔認識データを取得するためのデータ処理部４４を有している。また、取得された第１の顔認識データは遊技台１２の特定情報と共にホールコンピュータ４０の記憶部４６に格納される。
【００３９】
この様なカメラ３０により撮影した映像情報から顔部分を判別し、そこから顔の認識データ、すなわち、顔の同一か否かの判定を行うための第１の顔認識データを取得する構成については、本件発明の特徴的な構成要素ではなく、既に実用化されている種々の顔認識システムを用いることが可能である。この様なシステムは、例えば、デジタルカメラ等により取得した画像データから顔の特徴点を検出して位置データなどに変換して顔認識データとし、それらの照合を行うものである。本実施例ではホールコンピュータ４０によって、これらの処理を行うように設定されている。
【００４０】
次に、遊技媒体計数設備１６について説明する。図１に示したように、遊技媒体計数設備１６には、従来と同じく自動計数部１８及びシート発行部２２が設けられており、特徴的なことは、遊技媒体を持参した者の顔を含む映像情報を取得するためのカメラ４２が設置されていることである。カメラ４２は少なくとも遊技媒体の持参者の顔を含む所定の領域を可能な限り正面から写すことのできる位置に設置される。このカメラ４２によって取得した顔を含む映像情報に基づいて、第２の顔認識データが取得されるが、これは上述した第１の顔認識データの取得と同様に既に実用化された顔認識システムを用いることで足りる。本実施例では、この処理は本実施例ではホールコンピュータ４０によって行われる。
【００４１】
すなわち、ホールコンピュータ４０は、カメラ４２によって取得された映像情報を受けて第２の顔認識データを取得するデータ処理部４４を有しており、取得された第２の顔認識データは、同じくホールコンピュータ４０の記憶部４６に格納される。
【００４２】
また、ホールコンピュータ４０は、上記第２の顔認識データを記憶部４６に格納された第１の顔認識データと照合するための照合判定部４８を有している（図２）。照合判定部４８は判定対象者である第２の顔認識データと、全ての第１の顔認識データとを照合し、対象となっている者（第２の顔認識データ）が、第１の顔認識データの中に存在するか、存在する場合、何れの者であるかの判定又は第１の顔認識データにも該当するものがないという判定を行うものである。なお、図において、符号１７は照合判定部４８での判定結果を遊技媒体計数設備１６の管理者に伝達するための判定結果表示手段であり、カラーランプなどで構成されている。
【００４３】
次に、上記構成を有する本発明の実施例の動作について、図３のフローチャートに基づいて説明する。まず、ステップ（以下、単に「Ｓ」と言う）１０１において、第１の顔認識データの取得のタイミングであるか否かの判断が行われる。すなわち、この第１の顔認識データの取得は、その遊技台における遊技者が交替する度に行われるので、各遊技台１２の遊技者存在検知手段１３が遊技者の不存在状態の検知から存在状態の検知に変化したことの判定が行われる。
【００４４】
そして、遊技者の不存在状態から存在状態に変化したことを検知した場合（ＹＥＳの場合）には、Ｓ１０２において、各遊技台１２に設置されたカメラ３０で遊技者を撮影する。これは、不存在状態から存在状態に変化したことを検知した信号がホールコンピュータ４０の制御部又は設けられている場合には各遊技台１２のカメラ制御部に送られ、カメラ３０は撮影を行うように制御されるものである。
【００４５】
したがって、遊技者が別の者に入れ替わった場合や同一の遊技者が席を立って再度同じ台に戻ってきたような場合にも撮影が行われるが、その様な場合、毎回、第１の顔認識データの取得が行われるが、照合判定部４８にて、既に格納されている第１の顔認識データと照合して同一人と判定した場合には、前回の遊技台番号や時間との関連情報と共に記憶部４６に記憶するようにしてもよい。
【００４６】
次に、Ｓ１０３において、この撮影した映像情報は、各遊技台１２の特定情報、例えば、遊技台番号と共にホールコンピュータ４０に送られる。この情報を受けたホールコンピュータ４０のデータ処理部４４は、この映像情報に基づき顔を識別し、顔の特徴に基づく第１の顔認識データを取得し、記憶部４６に格納する。
【００４７】
なお、ホールコンピュータ４０によって、全ての遊技台１２の遊技状況の監視を行っているシステムを備えている場合、上記カメラ３０による撮影は、上述のような遊技者存在検知手段１３の設置によることなく、当該遊技台１２における遊技者の遊技動作が所定時間以上停止した後、再開されたことを検知して、その時に撮影するように制御することも可能である。
【００４８】
次に、Ｓ１０４にて、遊技媒体計数設備１６におけるカメラ４２による撮影が行われる。撮影対象は遊技媒体計数設備１６に遊技媒体を持参した者であり、撮影された映像情報は、カメラ３０による撮影の場合と同様にホールコンピュータ４０のデータ処理部４４にて第２の顔認識データに変換された後、記憶部４６に格納される（Ｓ１０５）。
【００４９】
そして、Ｓ１０６において、照合判定部４８による照合判定が行われる。すなわち、取得された第２の顔認識データの遊技者が、既に格納されている第１の顔認識データの中に存在しているか否か、更に、存在している場合どの遊技台の遊技者であるのかについての判定が行われる。
【００５０】
この判定結果が、同一人が第１の顔データの中に存在しない（ＮＯ）というものである場合、遊技媒体計数設備１６の管理者へその旨の伝達が行われる（Ｓ１０７）。この伝達は、例えば、遊技媒体計数設備１６に設置された判定結果表示部１７としてのランプを赤に点灯させたり、所定の音声を発生させたりすることにより行われる。また、遊技媒体計数設備１６に端末が設置されている場合には、その端末のディスプレイ上にその旨の表示を行うことができる。この情報に基づき、遊技媒体計数設備１６の管理者は、その遊技媒体持参者に対して質問をしたり、更に、次の景品交換設備の管理者への通報等を行うことが可能となる。
【００５１】
また、Ｓ１０６において、照合対象の第２の顔認識データと同一人物が第１の顔認識データの中に存在する（ＹＥＳ）と判定された場合、計数データが表示された計数シート１００が発行される（Ｓ１０８）。すなわち、本実施例ではＳ１０６においてＹＥＳと判定されたことを条件として計数シート２０を発行することとしている。なお、Ｓ１０７にて、同一人が第１の顔データの中に存在しない旨が伝達された遊技媒体計数設備１６の管理者が、その場ではその者に対して持参した遊技媒体の取得についての質問や確認等を行わないこととする場合もあるが、その場合には、管理者が計数シート発行部２２を操作して計数シート２０の発行を行うか、上記Ｓ１０６の伝達動作後、自動的に計数シート発行を行う様にしてもよい（図３の波線で示した手順）。更に、その照合結果を計数シート１００に表示してもよい。
【００５２】
なお、上記動作では、照合判定結果によって、計数シート２０の自動発行を行っているが、例えば、第２の顔認識データをより確実に取得するためには、自動計数部１８による計数のための遊技媒体の受け入れそのものをＳ１０４の撮影動作及びＳ１０５のデータ格納動作が行われたことを条件として行うことも可能である。その場合、遊技媒体の持参者に対して「顔認識をした後カウントを始めます」等の表示をしておくのが好適である。
【００５３】
また、逆に、計数シート２０の発行は、遊技媒体の計数が行われた後、照合判定の結果如何に関わらず行う様にし、判定結果情報だけを計数シート２０に書き込む様にすることも可能である。この場合、次の景品交換設備等において、景品交換希望者に対する質問等を行うこととなる。ただ、少なくとも上記Ｓ１０４及びＳ１０５の動作を行ったことを条件に計数シート２０の発行を行うようにすることで、第２の顔認識データの確実な取得が確保される。
【００５４】
以上の動作により、遊技媒体持参者が、他店舗の遊技媒体を不正に計数しようとしている状況や、自らが獲得した遊技媒体ではない他人の獲得した遊技媒体を勝手に計数しようとしている状況を発見することができる。すなわち、遊技媒体計数設備で撮影した情報から得られた第２の顔認識データと同一人物が第１の顔認識データの中に存在しないということは、少なくとも、その者は当該遊技施設内で遊技していないにもかかわらず、遊技媒体を遊技媒体計数設備１６に持参したということが明確になる。ここで、管理者はその持参された遊技媒体が正当な行為に基づくものか否か、例えば、友人に頼まれて持参したに過ぎないのか否か等を確認することができる。
【００５５】
また、上記Ｓ１０６における判定結果が、ＹＥＳの場合、すなわち、第２の顔認識データと同一人物が第１の顔認識データの中に存在している場合でも、図４に示したように、更に付加的な判定（Ｓ１０５−２）を行って、その結果に問題がない場合（ＹＥＳの場合）に初めてＳ１０８の計数シートの発行を行い、問題がある場合（ＮＯの場合）には、上記Ｓ１０７の管理者への伝達動作を行うようにすることも可能である。
【００５６】
この付加的な判定は、ホールコンピュータ４０に蓄積されている不審な行為者のデータや過去の不正行為者の顔認識データとの照合判定などであり、例えば、
ホールコンピュータ４０が各遊技者の遊技時間や出球等の情報の取得を行っている場合には、遊技媒体計数設備１６における実際の計数結果との対比検討を行うことも可能である。また、或る遊技者が遊技媒体の計数を他人に依頼する行為を繰り返し行っている様な場合、ホールコンピュータ４０の取得している遊技者及び遊技情報と上記顔の照合判定により、この様な状況を確認することができる。その様な確認を上記付加判定とすることも可能である。
【００５７】
なお、本発明は、上記実施例の構成に限定されるものではなく、発明の要旨の範囲内で種々の変更が可能である。例えば、上記実施例では、顔認識データの取得や格納や照合判定をホールコンピュータ４０にて行うようにしたが、この様なシステムに限らず、遊技媒体計数設備１６に管理端末を設置し、この端末により、第２顔認識データの取得や格納や照合判定を行うようにしても良い。また、種々取得された顔に関する情報やデータは、一定期間、例えば、１ヶ月間のみ保存し、その後は消去するようにするのがデータ管理上好適である。
【００５８】
また、各遊技台１２毎に設置されるカメラ３０、遊技媒体計数設備１６に設置される伝達表示手段１７等の設置位置は、実施例にて示した位置に限られるものではなく、それらの機能を奏しうる位置であれば種々の変更が可能である。
【図面の簡単な説明】
【００５９】
【図１】本発明の実施例に係る遊技者等判定システムを採用したシステムの説明図である。
【図２】本発明の実施例に係る遊技者等判定システムの概略構成図である。
【図３】本発明の実施例に係る遊技者等判定システムの動作を示したフローチャートである。
【図４】図３に示した動作フローに付加判定を設けたフローチャートである。
【図５】従来の一般的遊技施設の全体構成を示す説明図である。
【符号の説明】
【００６０】
１０  ホール
１２  遊技台
１４  島
１６  遊技媒体計数設備
３０、４２  カメラ
ホールコンピュータ４０  ホールコンピュータ
１００  計数シート
【図１】
2006034433.tif 000003
【図２】
2006034433.tif 000004
【図３】
2006034433.tif 000005
【図４】
2006034433.tif 000006
【図５】
2006034433.tif 000007